(57)【要約】      （修正有）【課題】再生音を聞き易くするダンパを、使用者の好みにより取り替え得るイヤパッド部に設けたイヤホンを提供する。【解決手段】イヤホンは、ケース１０、スピーカユニット１２、導音管１４、第１ダンパ１９及びイヤパッド１６により構成する。スピーカユニット１２はケースの前端内１０１に設置され並びにケースと共振チャンバを形成し、ケース後端１０２に共振チャンバと連通する第１連通孔が開設され、導音管１４は共振チャンバ内に設置され且つ一端がスピーカユニット１２と接続され、導音管の別端は第１連通孔内に進入し、イヤパッド１６は着脱自在にケース後端１０２に取付けられ並びに第１連通孔を被覆し、イヤパッドは第１連通孔と連通する収容チャンバを有し、収容チャンバに第１ダンパを収容する。以上によりイヤパッドが着脱自在にケース後端に取付けられ且つ第１連通孔と連通する収容チャンバを具え、収容チャンバに異なる第１ダンパを設置する。【選択図】図４
0003160779.tif 000002
【実用新案登録請求の範囲】
【請求項１】
イヤホンにおいて、ケース、スピーカユニット、導音管、第１ダンパ及びイヤパッドを包含し、該スピーカユニットは該ケースの前端内に設置され並びに該ケースと共振チャンバを形成し、該ケースの後端に該共振チャンバと連通する第１連通孔が開設され、該導音管は該共振チャンバ内に設置され且つ一端が該スピーカユニットと接続され、該導音管の別端は該第１連通孔内に進入し、該イヤパッドは着脱自在に該ケース後端に取付けられ並びに該第１連通孔外部を被覆し、該イヤパッドは該第１連通孔と連通する収容チャンバを有し、該収容チャンバに該第１ダンパを収容することを特徴とする、イヤホン。
【請求項２】
請求項１記載のイヤホンにおいて、該第１連通孔内に置かれる第２ダンパを更に包含したことを特徴とする、イヤホン。
【請求項３】
請求項１又は２記載のイヤホンにおいて、該イヤパッドが基部を有し、該基部の中心部分が該第１連通孔の方向に向けて凹むことで該収容チャンバが形成され、該基部の両側は該ケースの方向に突出して嵌止部が形成され、該ケースに該嵌止部に組み合わされる嵌止溝が形成されたことを特徴とする、イヤホン。
【請求項４】
請求項３記載のイヤホンにおいて、該イヤパッドに第２連通孔が設けられ、該第２連通孔は該第１連通孔と連通し並びに該収容チャンバと連通することを特徴とする、イヤホン。
【考案の詳細な説明】
【技術分野】
【０００１】
本考案は一種のイヤホンに係り、特に耳内に装着するイヤホンに関する。
【背景技術】
【０００２】
科学技術の不断の進歩に伴い、音楽再生機能を有する電子製品、例えばＭＰ３プレイヤー及び携帯電話等は急速にリニューアルされてきた。消費者を外界の干渉からブロックし、そばにいる人の邪魔にならない状況で、電子製品の発生する音声を聞けるようにするために、イヤホンは電子製品の必要なアクセサリとなっている。
【０００３】
生活水準の向上に伴い、消費者の聴覚上の要求も高まっている。しかし、各個人の耳朶、耳道の構造サイズは異なり、且つ各個人の音声に対する好みの程度も往々にして異なる。各メーカーが生産するイヤホンは構造が固定形式とされ、発生する音声効果に対して調整することができず、このため人々の個性に合わせることができない。
【０００４】
図１及び図２に示されるように、伝統的なイヤホン１００は、ケース１０’、スピーカユニット１２’、導音管１４’、及びイヤパッド１６’を包含する。スピーカユニット１２’はケース１０’内に設置され、並びにケース１０’との間に共振チャンバ（図示せず）を形成し、ケース１０’に共振チャンバと連通する連通孔１０２１’が開設されている。導音管１４’は共振チャンバ内に設置され且つ一端がスピーカユニット１２’に接続され、導音管１４’の別端は連通孔１０２１’内に進入する。イヤパッド１６’はケース１０’に取付けられ並びに連通孔１０２１’外部を被覆する。スピーカユニット１２’が発生する高周波音声を制圧して高周波音声と低周波音声とをマッチングさせるため、通常は導音管１４’の連通孔１０２１’内に進入した一端に、異なるダンパ１９’を設置する。すなわち異なる材質のダンパ１９’を利用してスピーカユニット１２’の発生する高周波音声を制圧し、高周波音声を少し小さくして低周波音声とマッチングさせ、音声を聞きやすくし、調音の効果を達成する。
【考案の概要】
【考案が解決しようとする課題】
【０００５】
ただし、消費者は好みに応じて導音管１４’の連通孔１０２１’内に進入した一端に置かれたダンパ１９’を交換して更に多種類の音楽効果を享受することはできない。すなわち、消費者は一旦このようなイヤホンを購入すると、ただそのイヤホンの具備する音楽効果を受け入れることしかできない。これにより、このようなイヤホンは消費者の個性に合った要求を満足させられない。
【０００６】
本考案の目的は、上述の既存の技術の不足に対して、一種のイヤホンを提供することにあり、該イヤホンは消費者が随意に異なるダンパを有するイヤパッドに交換でき、消費者が簡単に調音効果を達成して、多種類の音楽効果を享受できるようにし、消費者の個性に合った要求を達成させられるものとする。
【課題を解決するための手段】
【０００７】
上述の目的を達成するため、本考案の提供するイヤホンは、ケース、スピーカユニット、導音管、第１ダンパ及びイヤパッドを包含する。スピーカユニットはケースの前端内に設置され並びにケースと共振チャンバを形成し、ケース後端に共振チャンバと連通する第１連通孔が開設され、導音管は共振チャンバ内に設置され且つ一端がスピーカユニットと接続され、導音管の別端は第１連通孔内に進入し、イヤパッドは着脱自在にケース後端に取付けられ並びに第１連通孔を被覆し、イヤパッドは第１連通孔と連通する収容チャンバを有し、収容チャンバに第１ダンパを収容する。
【考案の効果】
【０００８】
以上により本考案のイヤホンは、イヤパッドが着脱自在にケース後端に取付けられ、且つ第１連通孔と連通する収容チャンバを具え、収容チャンバに異なる第１ダンパを設置でき、消費者がいつでもどこでも異なる第１ダンパを収容したイヤパッドに交換でき、簡単な調音効果を達成して、多種類の音楽効果を享受でき、消費者の個性に合った要求を満足させる。
【図面の簡単な説明】
【０００９】
【図１】従来の技術のイヤホンの構造表示図である。
【図２】図１のイヤホンの部分分解図である。
【図３】本考案の第１実施例のイヤホンの構造表示図である。
【図４】図３のイヤホンの部分分解図である。
【図５】本考案の第２実施例のイヤホンの構造表示図である。
【図６】図５のイヤホンの部分分解図である。
【考案を実施するための形態】
【００１０】
以下に本考案の技術内容、構造特徴、その達成する目的及び作用効果について、図面を参照しながら実施例を挙げて説明する。
【００１１】
図３と図４を参照されたい。これらは本考案のイヤホン２００の第１実施例の構造表示図である。図示されるように、イヤホン２００は、ケース１０、スピーカユニット１２、導音管１４、第１ダンパ１９及びイヤパッド１６を包含する。スピーカユニット１２はケース１０の前端１０１内に設置され並びにケース１０と共振チャンバ（図示せず）を形成する。導音管１４は共振チャンバ内に設置され且つ一端がスピーカユニット１２に接続されている。イヤパッド１６は着脱自在にケース１０の後端１０２に取付けられ、且つ該イヤパッド１６は収容チャンバ１６２を具え、該収容チャンバ１６２に第１ダンパ１９が収容される。
【００１２】
該ケース１０の後端１０２に第１連通孔１０２１と嵌止溝１０２２が開設されている。該第１連通孔１０２１と共振チャンバは連通し、且つ導音管１４の別端が該第１連通孔１０２１内に進入する。
【００１３】
具体的には、図３及び図４に示されるように、イヤパッド１６は基部１６１を有し、該基部１６１の中心部分が第１連通孔１０２１の方向に向けて凹むことで収容チャンバ１６２が形成され、基部１６１の両側はケース１０の方向に突出して嵌止部１６３が形成されている。イヤパッド１６のケース１０に接近する一端には更に第２連通孔１６４が設けられている。収容チャンバ１６２内には第１ダンパ１９が収容され且つ収容チャンバ１６２は第１連通孔１０２１と連通し、嵌止部１６３とケース１０の嵌止溝１０２２は相互に組み合わされてイヤパッド１６がケース１０に取り付けられ、第２連通孔１６４は第１連通孔１０２１と連通し並びに収容チャンバ１６２と連通する。イヤパッド１６がケース１０に取付けられる時、イヤパッド１６は第１連通孔１０２１外部を被覆する。
【００１４】
図５と図６を参照されたい。本考案のイヤホン２００は更に、第２ダンパ２０を包含する。第２ダンパ２０は第１連通孔１０２１内に置かれる。
【００１５】
本実施例中、イヤホン２００のその他の部品及びその接続方式は第１実施例と類似するため、重複した説明は行わない。
【００１６】
上述したように、本考案のイヤホン２００のイヤパッド１６は着脱自在にケース１０の後端１０２に取付けられ、且つ第１連通孔１０２１と連通する収容チャンバ１６２を具え、収容チャンバ１６２に異なる第１ダンパ１９が設置され得る。これにより消費者は好みに応じて異なる第１ダンパ１９を設置したイヤパッド１６に交換することができ、これにより簡単に調音効果を達成し、多種類の音楽効果を享受でき、消費者の個性に合った要求を達成できる。
【符号の説明】
【００１７】
１００  イヤホン            １０’  ケース
１０２１’  連通孔          １２’  スピーカユニット
１４’  導音管              １６’  イヤパッド
１９’  ダンパ
２００  イヤホン            １０  ケース
１０１  前端                １０２  後端
１０２１  第１連通孔        １０２２  嵌止溝
１２  スピーカユニット      １４  導音管
１６２  収容チャンバ        １６１  基部
１６４  第２連通孔          １９  第１ダンパ
２０  第２ダンパ
【図１】
0003160779.tif 000003
【図２】
0003160779.tif 000004
【図３】
0003160779.tif 000005
【図４】
0003160779.tif 000006
【図５】
0003160779.tif 000007
【図６】
0003160779.tif 000008